(57)【要約】【課題】運搬性、収納性、取り扱い性の良い田畑の水を温める装置を提供することを目的としている。【解決手段】平板形態から左右から内側に向けて押し止めると弾性湾曲形態になる透明樹脂性板部材からなるドーム形成プレート部２と、このドーム形成プレート部に形成されたフレネルレンズ群３と、前記ドーム形成プレート部２の右側にヒンジ形態で設けられた第１の底部プレート４と、左側にヒンジ形態で設けられ第２の底部プレート５とからなっている。【選択図】図５
2010051303.tif 000002
【特許請求の範囲】
【請求項１】
平板形態から左右から内側に向けて押し止めると弾性湾曲形態になるとともに、該左右からの押し止め解放すると弾性復元力により該平板形態に戻る透明樹脂性板部材からなるドーム形成プレート部と、
このドーム形成プレート部に形成されたフレネルレンズ群と、
前記ドーム形成プレート部の右側にヒンジ形態で設けられた第１の底部プレートと、
前記ドーム形成プレート部の左側にヒンジ形態で設けられ第２の底部プレートとからなり、
前記ドーム形成プレート部が前記平板形態であるときには、前記第１の底部プレートおよび前記第２の底部プレートは該ドーム形成プレートに平板形態での畳重なり状態となり、
前記ドーム形成プレート部が前記弾性湾曲形態であるときには、前記第１の底部プレートおよび前記第２の底部プレートは内向きとされるとともに、該第１の底部プレートおよび該第２の底部プレートの上に水より重い蓄熱性部材である石、コンクリート塊などの重量蓄熱部材を載せ置いて、該弾性湾曲形態を固定状態としたドームを形成することを可能とした田畑の水を温める装置。
【請求項２】
ドーム形成プレート部が弾性湾曲形態であるときには、第１の底部プレートおよび第２の底部プレートは重なり状態とされて、該重なり状態とされた第１の底部プレートおよび第２の底部プレートの上に重量蓄熱部材を載せ置いて、該弾性湾曲形態を固定状態としたドームを形成することを可能とした請求項１記載の田畑の水を温める装置。
【発明の詳細な説明】
【技術分野】
【０００１】  本発明は、田畑の水を温める装置に関する。
【背景技術】
【０００２】  従来、波形に成形された断面が半円形の透明な合成樹脂部材からなるハウス本体１の両縁にヒンジ形態で鍔２，２，が形成され、鍔２は、土を載せるなどして動かないようにして使う水田の水を温める装置が知られている（例えば特許文献１）。
【特許文献１】特開平７−２２７１５８
【非特許文献１】特になし
【発明の開示】
【発明が解決しようとする課題】
【０００３】  波形に成形された断面が半円形の透明な合成樹脂部材からなるハウス本体１であるために、体積が大きく嵩張るという欠点を有するものであった。すなわち、体積が大きいので車両などでの運送量が少なくなる、倉庫の収納面積や収納体積が必要、田畑での設置の際の人手による持ち運びにおいて多数を持てないし持ち運び性が悪い、持ち運び途中で風にあおられると強い影響を受けて飛ばしてしまったり運搬者が転倒したりする危険が生じやすい、あぜ道などに単に置いてあるものは風で飛ばされてしまいやすい、取り扱い性が悪いという欠点を有するものである。
また、風がハウス本体１内を通りぬけるような場合は、ハウス本体１内の空気の暖めは著しく低下するか、殆ど暖められない状態となって水の温め機能が著しく低下するという欠点を有するものである。【０００４】  本発明は以上のような従来技術の欠点に鑑み、運搬性、収納性、取り扱い性の良い田畑の水を温める装置を提供することを目的としている。
【課題を解決するための手段】
【０００５】（１）上記目的を達成するために本発明は、平板形態から左右から内側に向けて押し止めると弾性湾曲形態になるとともに、該左右からの押し止め解放すると弾性復元力により該平板形態に戻る透明樹脂性板部材からなるドーム形成プレート部と、このドーム形成プレート部に形成されたフレネルレンズ群と、前記ドーム形成プレート部の右側にヒンジ形態で設けられた第１の底部プレートと、前記ドーム形成プレート部の左側にヒンジ形態で設けられ第２の底部プレートとからなり、
前記ドーム形成プレート部が前記平板形態であるときには、前記第１の底部プレートおよび前記第２の底部プレートは該ドーム形成プレートに平板形態での畳重なり状態となり、前記ドーム形成プレート部が前記弾性湾曲形態であるときには、前記第１の底部プレートおよび前記第２の底部プレートは内向きとされるとともに、該第１の底部プレートおよび該第２の底部プレートの上に水より重い蓄熱性部材である石、コンクリート塊などの重量蓄熱部材を載せ置いて、該弾性湾曲形態を固定状態としたドームを形成することを可能とした田畑の水を温める装置である。
「フレネルレンズ群」とは、通常のレンズを同心円状に切り厚みを減らしたレンズであって、一般的な形態は断面がのこぎり状となっており、プリズムの集合体としても捉えられるものである。【０００６】  また前記（１）の構成において、ドーム形成プレート部が弾性湾曲形態であるときには、第１の底部プレートおよび第２の底部プレートは重なり状態とされて、該重なり状態とされた第１の底部プレートおよび第２の底部プレートの上に重量蓄熱部材を載せ置いて、該弾性湾曲形態を固定状態としたドームを形成することを可能とした田畑の水を温める装置としてもよい。
【発明の効果】
【０００７】  以上の説明から明らかなように、本発明にあっては次に列挙する効果が得られる。
（１）上記目的を達成するために本発明は、平板形態から左右から内側に向けて押し止めると弾性湾曲形態になるとともに、該左右からの押し止め解放すると弾性復元力により該平板形態に戻る透明樹脂性板部材からなるドーム形成プレート部と、このドーム形成プレート部に形成されたフレネルレンズ群と、前記ドーム形成プレート部の右側にヒンジ形態で設けられた第１の底部プレートと、前記ドーム形成プレート部の左側にヒンジ形態で設けられ第２の底部プレートとからなり、
前記ドーム形成プレート部が前記平板形態であるときには、前記第１の底部プレートおよび前記第２の底部プレートは該ドーム形成プレートに平板形態での畳重なり状態となり、前記ドーム形成プレート部が前記弾性湾曲形態であるときには、前記第１の底部プレートおよび前記第２の底部プレートは内向きとされるとともに、該第１の底部プレートおよび該第２の底部プレートの上に水より重い蓄熱性部材である石、コンクリート塊などの重量蓄熱部材を載せ置いて、該弾性湾曲形態を固定状態としたドームを形成することを可能とした田畑の水を温める装置であるので、次に述べるような効果を奏する。
［ａ］倉庫への格納時、車での運送時、人が持っての搬送時およびあぜ道に置くなどの設置前においては、「ドーム形成プレート部が平板形態であるときには、第１の底部プレートおよび第２の底部プレートは該ドーム形成プレートに平板形態での畳重なり状態」として置ける。すなわち、二枚重ねないし３枚重ね状態の平板形態（以下「折畳平板形態」という）とされる。
よって、「折畳平板形態」での倉庫への小スペースでの大量格納を実現する、「折畳平板形態」での自動車での省スペースでの大量運搬ができる、「折畳平板形態」でそれを何枚も重ねた状態で人が持っての運搬と設置作業が行えるので運びやすく風の影響を受け難く取り扱い性よく安全性が高い、「折畳平板形態」で重石を載せあぜ道などに置けるので風で吹き飛ぶなどのことがおきないという効果を奏する。
［ｂ］ドーム形成プレート部を湾曲させ石などの重量蓄熱部材を第１の底部プレートおよび第２の底部プレートに置き敷き詰めるだけの簡単な作業で設置できるという効果を奏する。
［ｃ］複数のフレネルレンズの集光機能によって集光された光は敷き詰められた重量蓄熱部材に当たり該重量蓄熱部材を加熱し暖め、暖められた重量蓄熱部材により水を温めるという効率的な水の温めを実現するという効果を奏する。
［ｄ］ドーム形成プレート部の湾曲形態は好みの高さとできるので、水深、水路幅などに合わせることができるという効果を奏する。【０００８】（２）また前記（１）の構成において、ドーム形成プレート部が弾性湾曲形態であるときには、第１の底部プレートおよび第２の底部プレートは重なり状態とされて、該重なり状態とされた第１の底部プレートおよび第２の底部プレートの上に重量蓄熱部材を載せ置いて、該弾性湾曲形態を固定状態としたドームを形成することを可能とした田畑の水を温める装置としたものも、このような構成としても前記（１）と同様な効果を奏する。
【発明を実施するための最良の形態】
【０００９】  以下、図面に示す発明を実施するための最良の形態を説明する。但し、本発明をこれらに限定する趣旨のものではない。【００１０】  図１ないし図５に示す本発明を実施するための最良の実施の形態において１は田畑の水を温める装置であって、この田畑の水を温める装置１は次に述べるような構成となっている。
平板形態から左右から内側に向けて押し止めると弾性湾曲形態になるとともに、該左右からの押し止め解放すると弾性復元力により該平板形態に戻る透明樹脂性板部材からなるドーム形成プレート部２と、
このドーム形成プレート部に形成されたフレネルレンズ群３と、
前記ドーム形成プレート部２の右側にヒンジ形態で設けられた第１の底部プレート４と、
前記ドーム形成プレート部２の左側にヒンジ形態で設けられ第２の底部プレート５とからなり、
前記ドーム形成プレート部２が前記平板形態であるときには、前記第１の底部プレート４および前記第２の底部プレート５は該ドーム形成プレートに平板形態での畳重なり状態となり、
前記ドーム形成プレート部２が前記弾性湾曲形態であるときには、前記第１の底部プレート４および前記第２の底部プレート５は内向きとされるとともに、該第１の底部プレート４および該第２の底部プレート５の上に水より重い蓄熱性部材７である石、コンクリート塊などの重量蓄熱部材７を載せ置いて、該弾性湾曲形態を固定状態としたドームを形成することを可能とした構成となっている。
ドーム形成プレート部２が弾性湾曲形態であるときには、第１の底部プレート４および第２の底部プレート５は重なり状態とされて、該重なり状態とされた第１の底部プレート４および第２の底部プレート５の上に重量蓄熱部材７を載せ置いて、該弾性湾曲形態を固定状態としたドームを形成することを可能としているが、第１の底部プレート４と第２の底部プレート５が重ならない向かい合う形態とするのもよい。【００１１】［ａ］倉庫への格納時、車での運送時、人が持っての搬送時およびあぜ道に置くなどの設置前においては、「ドーム形成プレート部２が図１に示すように平板形態であるときには、第１の底部プレート４および第２の底部プレート５は該ドーム形成プレート部２に平板形態での畳重なり状態」として置ける。すなわち、二枚重ねないし３枚重ね状態の平板形態（以下「折畳平板形態」という）とされる。
よって、「折畳平板形態」での倉庫への小スペースでの大量格納を実現する、「折畳平板形態」での自動車での省スペースでの大量運搬ができる、「折畳平板形態」でそれを何枚も重ねた状態で人が持っての運搬と設置作業が行えるので運びやすく風の影響を受け難く取り扱い性よく安全性が高い、「折畳平板形態」で重石を載せあぜ道などに置けるので風で吹き飛ぶなどのことがおきない。
［ｂ］ドーム形成プレート部２を湾曲させ石などの重量蓄熱部材７を第１の底部プレート４および第２の底部プレート５の上に置き敷き詰めるだけの簡単な作業で設置できる。
［ｃ］フレネルレンズ群のフレネルレンズ８ａ、８ｂ〜８ｎの集光機能によって集光された光は敷き詰められた重量蓄熱部材７に当たり該重量蓄熱部材７を加熱し暖め、暖められた重量蓄熱部材７により水を温めるという効率的な水の温めを実現する。
［ｄ］ドーム形成プレート部２の湾曲形態は好みの高さとできるので、水深、水路幅などに合わせることができる。
【産業上の利用可能性】
【００１２】  本発明は農業用資材を製造する産業で利用される。
【図面の簡単な説明】
【００１３】
【図１】本発明を実施するための最良の実施の形態を示す折畳平板形態とした状態の正面図。
【図２】本発明を実施するための最良の実施の形態を示す折畳平板形態とした状態の平面図。
【図３】本発明を実施するための最良の実施の形態を示すドームを形成した状態の正面図。
【図４】本発明を実施するための最良の実施の形態を示すドームを形成し重量蓄熱部材を敷き詰めた状態の正面図。
【図５】本発明を実施するための最良の実施の形態を示すドームを形成し複数を並べ設置した状態の使用状態を示す斜視図（設置場所および水は省略）。
【符号の説明】
【００１４】１：田畑の水を温める装置、
２：ドーム形成プレート部、
３：フレネルレンズ群、
４：第１の底部プレート、
５：第２の底部プレート、
７：重量蓄熱部材、
８、８ａ、８ｂ〜８ｎ：フレネルレンズ。
【図１】
2010051303.tif 000003
【図２】
2010051303.tif 000004
【図３】
2010051303.tif 000005
【図４】
2010051303.tif 000006
【図５】
2010051303.tif 000007